(57)【要約】【課題】作業性が良いと共に作業の安全性が高く、墓石の外柵はじめ各石部材を解体することなく、その傾斜を修復し得る墓石の傾斜修復方法を提供する。【解決手段】墓石５０の傾斜側の外柵６０下面に長尺下部プレートを横方向から潜入させる潜入工程と、次ぎに加圧ジャッキ７によって長尺上部プレート１を一定圧力で且つ緩慢に押上げると共に、傾斜した墓石５０に水平器１２を当てながら正しい水平状態に復元する水平復元工程と、傾斜が復元され正しい水平状態となり上記外柵６０下面の持上げによって当該外柵６０と地盤６３間に生じた隙間に、時硬性のグラウト材６２を注入する。【選択図】図１
2004324162.tif 000002
【特許請求の範囲】
【請求項１】
剛性が高い金属製で一対の下部連結プレートと、同じく剛性が高い金属製の長尺下部プレートと、上記下部連結プレートに植設され先端方向にネジ溝が螺刻された一対の長尺ボルトと、当該長尺ボルトの他端が挿通されると共に当該長尺ボルトに螺着されている前後のナットによって係止されている上部連結プレートと、上記一対の上部連結プレートの下面に当てがわれる長尺上部プレートと、墓石の周辺地盤上に組み上げられた一対のブロック体と、当該ブロック体に載置され上記長尺上部プレートを横架するように配置される加圧ジャッキの組み合わせによって、先ず、墓石の傾斜側の外柵下面又は更に当該外柵よりも下方の基礎部下面に上記長尺下部プレートを横方向から潜入させる潜入工程と、次ぎに上記加圧ジャッキによって上記長尺上部プレートを一定圧力で且つ緩慢に押上げると共に、傾斜した墓石に水平器を当てながら正しい水平状態に復元する水平復元工程と、傾斜が復元され正しい水平状態となり上記外柵下面又は基礎下面の持上げによって生じた隙間に、時硬性のグラウト材を注入するか、砂及び小石の混合材を充填する基礎補強工程とから成ることを特徴とする、墓石の傾斜修復方法。
【請求項２】
剛性が高い金属製の長尺上部プレートと、当該長尺上部プレートからワイヤーによって垂下されている剛性の高い金属製のＬ字型楔と、墓石の周辺地盤上に組み上げられた一対のブロック体と、当該ブロック体に載置され上記長尺上部プレートを横架するように配置される加圧ジャッキの組み合わせによって、先ず、墓石の傾斜側の外柵下面又は更に当該外柵よりも下方の基礎部下面に上記Ｌ字型楔を衝打潜入させる衝打潜入工程と、次ぎに上記加圧ジャッキによって上記長尺上部プレートを一定圧力で且つ緩慢に押上げると共に、傾斜した墓石に水平器を当てながら正しい水平状態に復元する水平復元工程と、傾斜が復元され正しい水平状態となり上記外柵下面又は基礎下面の持上げによって生じた隙間に、時硬性のグラウト材を注入するか、砂及び小石の混合材を充填する基礎補強工程とから成ることを特徴とする、墓石の傾斜修復方法。
【発明の詳細な説明】
【０００１】
【発明が属する技術分野】
本発明は、軟弱で支持力の弱い不良な地盤に対して築造された結果、その後の地震等により傾斜するか、不良工事に起因して傾斜してしまった墓石を垂直に修復する、墓石の傾斜修復方法に関するものである。
【０００２】
【従来の技術】
従来、墓石の母材としては一般的に硬質な安山岩、花崗岩、セン緑岩、ハンレイ岩、ケツ岩等が使用されている。また、標準的な墓石は棹石、上台、下台、芝台、カロート、外柵の他、花立付水鉢、香炉、塔婆立、墓誌等の付属物から成り、骨壺を収納するカロートを地下に埋設する構造が広く採用されている。一方、上記墓石を建立する墓地はお寺に隣接するものとされていたが、土地の利用目的に一定程度の制限を加え、整然とした市街地を形成しようとする都市計画に伴う用途区域の指定や、近年まで続いた土地の高騰などを理由に、嘗て小規模に分散していた住宅地内の墓地を市街地郊外に移転し、墓地霊園として造成する例が多く見受けられる。しかしながら、上記墓地霊園に対する造成工事は、一般の家屋建築物に対する地業のように十分な注意を払われることがなく、湿地、含水量の多い粘土層地等による軟弱地盤の問題、山林を切り開いて切り土分を単に盛土として均敷した不良工事の問題を抱えたまま整備されていると言われている。従って、墓石の建立時は適正に垂直が保たれていた墓石であっても非常に重量が大きいため、軟弱で支持力の弱い不良な地盤に対して建立された場合、地震に伴う転倒・傾斜や年月の経過と共に沈下・傾斜等の支障が生じるという問題があった。特に近年、首都圏近郊では、造成工事を急ぐあまり、基礎の施工段階においてグリ石又は砕石による地盤改良がされていない、基礎の厚み不足しているなどの欠陥工事が明らかとなり、これらの墓地に建立された墓石は数年後に多くが傾斜してしまったとの報告もある。
【０００３】
ところが、上記記載の墓石が転倒という場合には、再度組み立てる必要があるのは当然であるが、墓石全体が傾斜した場合でもその傾斜修復のためには、基礎上の外柵をはじめとする石部材の全部を解体すると共に基礎の水平化及び地盤改良の必要があり、修復作業には時間、労力、費用を要すものであるという問題があった。
【０００４】
一方、住宅等の建築物が地震等により基礎から傾いた場合の修復手段として、建物の基礎又は基礎上に備えた建物本体をクレーン等の作業機により持ち上げて施工するものがある。しかし、この施工方法ではクレーンを備えた車輌が侵入し、作業をするスペースが必要であり、特に墓石が密集している墓地においてはその作業スペースの確保は困難である。従って、上記転倒・傾斜した墓石の修復の主力は人力であり、重労働が強いられるものであると共に重量物の運搬と組付け作業は危険が伴うものであった。
【０００５】
【発明が解決しようとする課題】
本発明は、上記従来の技術の項に記載の各種欠点に鑑み成されたものであり、作業性が良いと共に作業の安全性が高く、墓石の外柵はじめ各石部材を解体することなく、その傾斜を修復し得る墓石の傾斜修復方法を提供することを目的とする。
【０００６】
【課題を解決するための手段】
上記目的を達成するため、本発明に係る墓石の傾斜修復方法は以下の構成より成る。
【０００７】
即ち、本発明に係る墓石の傾斜修復方法は、地震や軟弱で支持力の弱い不良な地盤に対して建立され経年に伴い徐々に傾斜した墓石に対して成される修復方法であり、剛性が高い金属製で一対の下部連結プレートと、同じく剛性が高い金属製の長尺下部プレートと、上記下部連結プレートに植設され先端方向にネジ溝が螺刻された一対の長尺ボルトと、当該長尺ボルトの他端が挿通されると共に当該長尺ボルトに螺着されている前後のナットによって係止されている上部連結プレートと、上記一対の上部連結プレートの下面に当てがわれる長尺上部プレートと、墓石の周辺地盤上に組み上げられた一対のブロック体と、当該ブロック体に載置され上記長尺上部プレートを横架するように配置される加圧ジャッキの組み合わせによって、先ず、墓石の傾斜側の外柵下面又は更に当該外柵よりも下方の基礎部下面に上記長尺下部プレートを横方向から潜入させる潜入工程と、次ぎに上記加圧ジャッキによって上記長尺上部プレートを一定圧力で且つ緩慢に押上げると共に、傾斜した墓石に水平器を当てながら正しい水平状態に復元する水平復元工程と、傾斜が復元され正しい水平状態となり上記外柵下面又は基礎下面の持上げによって生じた隙間に、時硬性のグラウト材を注入するか、砂及び小石の混合材を充填する基礎補強工程とから成ることを第一の要旨とするものである。
【０００８】
また、本発明に係る墓石の傾斜修復方法は、剛性が高い金属製の長尺上部プレートと、当該長尺上部プレートからワイヤーによって垂下されている剛性の高い金属製のＬ字型楔と、墓石の周辺地盤上に組み上げられた一対のブロック体と、当該ブロック体に載置され上記長尺上部プレートを横架するように配置される加圧ジャッキの組み合わせによって、先ず、墓石の傾斜側の外柵下面又は更に当該外柵よりも下方の基礎部下面に上記Ｌ字型楔を衝打潜入させる衝打潜入工程と、次ぎに上記加圧ジャッキによって上記長尺上部プレートを一定圧力で且つ緩慢に押上げると共に、傾斜した墓石に水平器を当てながら正しい水平状態に復元する水平復元工程と、傾斜が復元され正しい水平状態となり上記外柵下面又は基礎下面の持上げによって生じた隙間に、時硬性のグラウト材を注入するか、砂及び小石の混合材を充填する基礎補強工程とから成ることを第二の要旨とするものである。
【０００９】
【作用】
本発明に係る墓石の傾斜修復方法の第一の要旨において、一対の下部連結プレートと当該下部連結プレートに植設され先端方向にネジ溝が螺刻された一対の長尺ボルトと、当該長尺ボルトの他端が挿通されると共に当該長尺ボルトに螺着されている前後のナットによって係止されている上部連結プレートを組み上げることによって、一対の枠体が形成される。ここで、長尺下部プレートは上記枠体の一対の下部連結プレート間に横架されるように掛け渡され、長尺上部プレートは下方から上記枠体の一対の上部連結プレート間に当てがわれるように配置されているから、加圧ジャッキによって当該長尺上部プレートを一定圧力で且つ緩慢に押上げると、上記枠体構成の下部連結プレートが追動して押上げられる。これによって、当該下部連結プレートは墓石の傾斜側の外柵下面又は更に当該外柵よりも下方の基礎部下面に潜入されているので、同様に押し上げられるという作用がある。更に、この水平復元工程において、墓石に水平器を当て水平状態を確認するものとするが、墓石の水平状態の基準として、例えば外柵の上面水平方向に少なくとも直角である二箇所に水平器を当て何れも水平であることが確認された場合に、当該墓石の正しい水平状態が復元されたものとする。
【００１０】
次ぎに、本発明に係る墓石の傾斜修復方法の第二の要旨において、加圧ジャッキによって当該長尺上部プレートを一定圧力で且つ緩慢に押上げると、当該長尺上部プレートからワイヤーによって垂下されている剛性の高い金属製のＬ字型楔も押上げられる。これによって、当該Ｌ字型楔は墓石の傾斜側の外柵下面又は更に当該外柵よりも下方の基礎部下面に衝打潜入されているので、同様に押し上げられるという作用がある。更に、この水平復元工程において、墓石に水平器を当て水平状態を確認するものとするが、墓石の水平状態の基準として、例えば外柵の上面水平方向に少なくとも直角である二箇所に水平器を当て何れも水平であることが確認された場合に、当該墓石の正しい水平状態が復元されたものとする。
【００１１】
【発明の実施の形態】
以下、図面を参照しながら、更に本発明に係る好適な実施の形態を通して引き続き本発明を詳説するものとする。
【００１２】
先ず、図１３は一般的な墓石の正面図である。ここで示した一般的な墓石５０は、地業が整えられた地盤６１上に構築されるものであり、棹石５１、上台５３、下台５４、芝台５５、外柵６０の他、花立５７、香炉５６、塔婆立５２、墓誌５８、階段５９等の付属物から成るものである。一方、図１４は図１３に示した一般的な墓石が右側に傾斜した際の正面図である。ここで、墓石５０が傾斜する原因としては、そもそも軟弱で支持力の弱い不良な地盤に対して充分な地盤改良が成されないまま建立された場合、本質的にはさほど支持力の弱い地盤ではないが後発的な地震が原因となって傾斜してしまった場合などが挙げられる。
【００１３】
続いて、図３、図４、図５は本発明に係る墓石の傾斜修復方法に使用されるそれぞれ、長尺上部プレート及び長尺下部プレートの概要図、上部連結プレート及び下部連結プレートの概要図、長尺ボルト及びナットの概要図である。図示のように、図３の上段には硬質な金属製長尺上部プレート１の正面図、当該正面図の右側にその右側面図、上記正面図の左側にその左側面図を示した。更に図３の下段には硬質な金属製長尺下部プレート２の正面図、当該正面図の右側にその右側面図、上記正面図の左側にその左側面図を示した。ここで、比較すると長尺上部プレート１は長尺下部プレート２よりも長く形成されている。次ぎに、図４には上部連結プレート３及び下部連結プレート４が示されているが、これらは短冊形の硬質な金属製プレートであって、上部連結プレート３の両端近くには後述する長尺ボルト６が挿通する丸孔が穿設されている一方、下部連結プレート４の両端近くには上記長尺ボルト６基端を螺着する螺着孔が穿設されている。更に、図５には長尺ボルト６及びナット５が示されている。ここで、図５のように長尺ボルト６の先端側には一定範囲に亘りネジ溝が刻設されており、前記上部連結プレート３を挟着するように前後にナット５が螺着される。
【００１４】
続いて更に、図６は本発明に係る墓石の傾斜修復方法に使用される部材を組立てた際の正面図であり、また図７は図６の左側面図である。図示のように、上記図３、図４、図５に説明の上部連結プレート３、下部連結プレート４、長尺ボルト６、ナット５は図示のように枠体のように組立てられる。更に、長尺上部プレート１は相互一対の枠体における上部連結プレート３間に下方から当てがわれるように配置され、長尺下部プレート２も同じく相互一対の枠体における下部連結プレート４間に横架されるように配置されている。
【００１５】
そしてまた、図２は本発明に係る墓石の傾斜修復方法によって、修復作業を始める際の概要図である。ここで、図１３のように修復の対象となる墓石５０は右側に沈下して傾斜している。先ず、墓石５０の傾斜右側の外柵６０下面に上記長尺下部プレート２を潜入させるために掘削作業を行っておくものとする。次ぎに、上記図６及び図７に示した相互一対の枠体を設置するようにする。続いて、横方向（図１においては右方向から左方向へ）から長尺下部プレート２を傾斜右側の外柵６０下面に潜入させる潜入工程を実施する。次ぎに、上記対向する一対の枠体のそれぞれ外側に木製角材から成るブロック体８を地盤６１上に適宜積み上げ、更に対向する一対の当該ブロック体８の上面に加圧ジャッキ７を配置し、当該加圧ジャッキ７のヘッド間に長尺上部プレート１横架するように配置する。その後、上記加圧ジャッキ７によって長尺上部プレート１を一定圧力で且つ緩慢に押上げると共に、傾斜した墓石５０に水平器１２を当てながら正しい水平状態に復元し水平復元工程を行う。
【００１６】
更にそして、図１は本発明に係る墓石の傾斜修復方法によって、修復作業を完了した際の概要図であるが、図２のように墓石５０を正しい水平状態に復元した後、上記外柵６０下面の持上げによって地盤６１と外柵６０下面間に生じた隙間に、時硬性のグラウト材６２を注入する基礎補強工程を実施する。
【００１７】
一方、図１０及び図１１は本発明に係るもう一つ墓石の傾斜修復方法に係る実施例に使用されるＬ字型楔の正面図及び右側面図である。ここで、Ｌ字型楔９は墓石が建て込んで上記実施例の長尺下部プレート２による潜入工程を実施することが難しい場合等に使用されるものであり、図示のように上記Ｌ字型楔９は、Ｌ字型の先端が先鋭な剛性の高い金属製部材であり、他端近くに後述するワイヤーを緊結するための緊結孔１０が穿設されている。
【００１８】
続いて、図１２は本発明に係るもう一つの墓石の傾斜修復方法に係る実施例の構成を示す概要図であるが、図示のように地盤６１上に木製角材から成るブロック体８を適宜積み上げ、更に対向する一対の当該ブロック体８の上面に加圧ジャッキ７を配置し、当該加圧ジャッキ７のヘッド間に長尺上部プレート１を横架するように配置する。ここで、横架された当該長尺上部ブレード１の中間位置二箇所にワイヤー１１によってＬ字型楔９を垂下する。
【００１９】
続いてまた、図９は本発明に係るもう一つの墓石の傾斜修復方法によって、修復作業を始める際の概要図である。ここで、図９のように修復の対象となる墓石は右側に沈下傾斜しているが、勿論その他の方向に傾斜の場合であっても対処可能である。先ず、墓石５０の傾斜右側の外柵６０下面（外柵６０の下に基礎が打設してある場合には、当該基礎の下面とする。）に上記Ｌ字型楔９を衝打潜入させるために掘削作業を行っておくものとする。次ぎに、上記図１２に示したようにブロック体８、加圧ジャッキ７、長尺上部プレート１、ワイヤー１１とＬ字型楔９を設置するようにする。続いて、上記Ｌ字型楔９を傾斜右側の外柵６０下面に衝打潜入させる衝打潜入工程を実施する。次ぎに、上記加圧ジャッキ７によって上記長尺上部プレート１を一定圧力で且つ緩慢に押上げると共に、傾斜した墓石５０に水平器１２を当てながら正しい水平状態に復元し水平復元工程を行う。
【００２０】
そして、図８は本発明に係るもう一つの墓石の傾斜修復方法によって、修復作業を完了した際の概要図であるが、傾斜が復元され正しい水平状態となり上記外柵６０下面の持上げによって地盤６１と外柵６０下面間に生じた隙間に、砂及び小石の混合材６３を充填して基礎補強工程を実施する。
【００２１】
【本発明の効果】
本発明は、上記に詳述したよう構成されるものであるから、以下に記載されるような効果を奏す。
【００２２】
第一に、本発明に係る墓石の傾斜修復方法によれば、基礎上の外柵をはじめとする石部材の全部を解体する必要がなく、傾斜の現状のままに水平状態に修復できるので、修復作業時間が短く、さほどの労力も要せず、軽費用で墓石の傾斜修復を実施できるという効果がある。
【００２３】
第二に、墓石が密集している墓地においては作業スペースの確保は困難であるとの理由から傾斜した墓石の修復の主力は人力であったが、本発明に係る墓石の傾斜修復方法によれば、比較的簡易な部材の組合わせによって、重労働と作業上の危険が強いられることなく、墓石の建て込んだ場所でも容易に作業が実施できるという効果もある。
【図面の簡単な説明】
【図１】本発明に係る墓石の傾斜修復方法によって、修復作業を完了した際の概要図。
【図２】本発明に係る墓石の傾斜修復方法によって、修復作業を始める際の概要図。
【図３】本発明に係る墓石の傾斜修復方法に使用される長尺上部プレート及び長尺下部プレートの概要図。
【図４】本発明に係る墓石の傾斜修復方法に使用される上部連結プレート及び下部連結プレートの概要図。
【図５】本発明に係る墓石の傾斜修復方法に使用される長尺ボルト及びナットの概要図。
【図６】本発明に係る墓石の傾斜修復方法に使用される部材を組立てた際の正面図。
【図７】図６の左側面図。
【図８】本発明に係るもう一つの墓石の傾斜修復方法によって、修復作業を完了した際の概要図。
【図９】本発明に係るもう一つの墓石の傾斜修復方法によって、修復作業を始める際の概要図。
【図１０】本発明に係るもう一つ墓石の傾斜修復方法に係る実施例に使用されるＬ字型楔の正面図。
【図１１】本発明に係るもう一つ墓石の傾斜修復方法に係る実施例に使用されるＬ字型楔の右側面図。
【図１２】本発明に係るもう一つの墓石の傾斜修復方法に係る実施例の構成を示す概要図。
【図１３】一般的な墓石の正面図。
【図１４】図１３に示した一般的な墓石が右側に傾斜した際の正面図。
【符号の説明】
１    長尺上部プレート
２    長尺下部プレート
３    上部連結プレート
４    下部連結プレート
５    ナット
６    長尺ボルト
７    加圧ジャッキ
８    ブロック体
９    Ｌ字型楔
１０    緊結孔
１１    ワイヤー
１２    水平器
５０    墓石
５１    棹石
５２    塔婆立
５３    上台
５４    下台
５５    芝台
５６    香炉
５７    花立
５８    墓誌
５９    階段
６０    外柵
６１    地盤
６２    時硬性のグラウト材
６３    砂及び小石の混合材
【図１】
2004324162.tif 000003
【図２】
2004324162.tif 000004
【図３】
2004324162.tif 000005
【図４】
2004324162.tif 000006
【図５】
2004324162.tif 000007
【図６】
2004324162.tif 000008
【図７】
2004324162.tif 000009
【図８】
2004324162.tif 000010
【図９】
2004324162.tif 000011
【図１０】
2004324162.tif 000012
【図１１】
2004324162.tif 000013
【図１２】
2004324162.tif 000014
【図１３】
2004324162.tif 000015
【図１４】
2004324162.tif 000016